(57)【要約】ボスに直接取り付けられたシャフト又は支持リングを備えたピストンにおいて、このシャフト又は支持リングはできるだけ簡単にボスに固定されなければならない。このために支持リングはバヨネット結合式にボスに固定されている。
2004506123.tif 000002
【特許請求の範囲】
【請求項１】
内燃機関のためのピストンであって、ピストンのボスに解除可能に組み付けられているピストンシャフト又は支持リング（９）を有している形式のものにおいて、
ピストンシャフト又は支持リングが、バヨネット結合式にピストンのボスに結合されていることを特徴とする、内燃機関のためのピストン。
【請求項２】
請求項１記載の内燃機関のためのピストンにおいて、
支持リング（９）又はシャフトが、ピストンの長手方向でボス（３）に被せ嵌められ、次いで周方向に断続的に延びる単数若しくは複数の溝（８）内のアンダカットを有する位置に回転させることによって、ボスに結合されている、請求項１記載の内燃機関のためのピストン。
【請求項３】
ボス（３）が、それぞれ圧力側及び対抗圧力側で、周方向に延びる溝（８）とほぼ同じ高さを有しており、支持リング（９）若しくはシャフトが異なる内径を有していて、この場合、１つの内径がそれぞれ溝（８）の溝底部直径にほぼ相当し、１つの内径がそれぞれ少なくとも、周方向に延びる溝（８）の高さ位置まで支持リング（９）をハブ（３）に被せ嵌めることができる程度の大きさである、請求項２記載のピストン。
【請求項４】
ハブ及び支持リング若しくはシャフトの、互いに噛み合う領域の高さが、組み立てた状態でハブと支持リング若しくはシャフトとの間にすきまばめが得られるように、互いに合わされている、請求項２又は３記載のピストン・シリンダユニット。
【請求項５】
支持リング（９）若しくはシャフトが、固定ピン又は緊締ピンによって回転防止されている、請求項１から４までのいずれか１項記載のピストン・シリンダユニット。
【発明の詳細な説明】
【０００１】
本発明は、請求項１の上位概念部に記載した形式の内燃機関のためのピストンに関する。
【０００２】
このような形式のピストンは、ドイツ連邦共和国特許第１９５４７１５７号明細書により公知である。支持リングをボス上に固定するために、例えばねじ結合、収縮ばめ、溶接等の種々の可能性が開示されている。
【０００３】
収縮ばめ及び溶接によって同様に、ボス領域内に歪みが生じ、ねじ結合の際には、歪みを避けるために、ねじを非常に正確に位置決めしなけらればならない。さらに、ねじを一般的なピストン材料内に切ることは、非常にコストがかかる。
【０００４】
そこで本発明の課題は、冒頭に述べたピストンを改良して、ボス領域に歪みが生じることがなく、しかも簡単に製造可能な、シャフト若しくは支持リングのための固定可能性を提供することである。
【０００５】
本発明によればこの課題は、請求項１の特徴部によって解決された。有利な実施態様は従属請求項に記載されている。
【０００６】
支持リングをバヨネット結合に従って固定することによって、ボスに対するセンタリングされた位置決めが得られる。この結合は、緊張なしで行われ、解除することができる。
【０００７】
本発明においてバヨネット結合とは、シャフト若しくは支持リングが軸方向でボス上に被せ嵌められた後で、周方向で回転させることによって、シャフトの内方に向いた複数の突起がボスの溝内に係合するか、又はボスの複数の突起がシャフトの溝内に係合する位置にもたらされる、ということである。これによってシャフトは軸方向でずれないように固定される。
【０００８】
支持リング若しくはシャフトをボスに固定する作業は、支持リングが、ボス上ねの被せ嵌めを許容する位置（この位置で、ボスと、支持リングの大きい内径を有する領域とが整列する）において、ボス外周面で周方向に延びる溝の高さまで押しずらされ、次いで（図２に示した実施例では）約３０゜回転せしめられ、これによって、図２に示されているように、小さい内径を有する、支持リングの領域が、周方向に延びる溝内に係合することによって、行われる。次いで、支持リング若しくはシャフトが、単数又は複数の緊締スリーブによって、回動しないように周方向で固定される。
【０００９】
原則的に、４つの溝のそれぞれが種々異なる溝底部直径を有していてもよいが、製造技術的には、４つの溝のすべてが同じ溝底部直径を有していれば好都合である。
【００１０】
以下に本発明を図面を用いて詳しく説明する。
【００１１】
図１は、支持リングを備えたピストンの側面図であり、
図２は、ボス軸線の高さで断面した横断面図である。
【００１２】
ピストン１は、鍛造された鋼より成るピストンヘッド２と、このピストンヘッドから延びるボス３と、このピストンヘッドに半径方向で形成された、各１つのピストンリングを受容するためのリング溝４，５，６とから成っている。ボス３は、ピストンピンを受容するための複数の孔を有している。ピストンの周方向で、ピストンピン軸線の高さ位置に不連続的に若しくは断続的に延びる溝８がボスに形成されており、この溝は、ボス外周面の凹部に応じて、僅かな角度（例えば約１５゜〜３０゜）だけ、図２に破線で示した領域に亘って延びている。
【００１３】
２つのボスは、それぞれ圧力側及び対抗圧力側に凹部が設けられているので、単数若しくは複数の溝は、４面すべての合計で約６０゜〜１２０゜の角度範囲を有している。単数若しくは複数の溝８内には、バヨネット結合形式でボスに直接固定される支持リング９が嵌め込まれている。
【００１４】
図２に記載されているように、支持リング９は異なる内径を有しており、この場合、切欠１０の領域内に存在する大きい内径は、支持リング９を下方からボス３に被せ嵌めることができ、小さい内径は、ボス内に延びる溝の溝底部直径にほぼ相当している。
【００１５】
図２では、支持リング９は約３０゜回動させて組み付けられている。その他の回動角度も可能である。
【００１６】
溝８の高さは、支持リング９の高さにほぼ相当しており、この場合、溝と支持リングとの間の軸方向遊びは、通常の場合、支持リング９を溝内で手動で回転させることができるように寸法設計されている。
【図面の簡単な説明】
【図１】図１は、支持リングを備えたピストンの側面図である。
【図２】図２は、ボス軸線の高さで断面した横断面図である。
【国際公開パンフレット】
2004506123.tif 000003
2004506123.tif 000004
2004506123.tif 000005
2004506123.tif 000006
2004506123.tif 000007
2004506123.tif 000008
2004506123.tif 000009
【手続補正書】
【提出日】平成14年6月7日(2002.6.7)
【手続補正１】
【補正対象書類名】明細書
【補正対象項目名】請求項１
【補正方法】変更
【補正の内容】
【請求項１】
内燃機関のためのピストンであって、ピストンヘッドと、このピストンヘッドから延びるボスと、該ボスに解除可能に組み付けられているピストンシャフト又は支持リング（９）とを有している形式のものにおいて、
ピストンシャフト又は支持リングが、バヨネット結合式にピストンのボスに結合されていることを特徴とする、内燃機関のためのピストン。
【手続補正２】
【補正対象書類名】明細書
【補正対象項目名】請求項２
【補正方法】変更
【補正の内容】
【請求項２】
請求項１記載の内燃機関のためのピストンにおいて、
支持リング（９）又はシャフトが、ピストンの長手方向でボス（３）に被せ嵌められ、次いで周方向に断続的に延びる単数若しくは複数の溝（８）内のアンダカットを有する位置に回転させることによって、ボスに結合されている、請求項１記載の内燃機関のためのピストン。
【手続補正３】
【補正対象書類名】明細書
【補正対象項目名】請求項３
【補正方法】変更
【補正の内容】
【請求項３】
ボス（３）が、それぞれ圧力側及び対抗圧力側で、周方向に延びる溝（８）とほぼ同じ高さを有しており、支持リング（９）若しくはシャフトが異なる内径を有していて、この場合、１つの内径がそれぞれ溝（８）の溝底部直径にほぼ相当し、１つの内径がそれぞれ少なくとも、周方向に延びる溝（８）の高さ位置まで支持リング（９）をハブ（３）に被せ嵌めることができる程度の大きさである、請求項２記載のピストン。
【国際調査報告】
2004506123.tif 000010
2004506123.tif 000011
2004506123.tif 000012
2004506123.tif 000013
2004506123.tif 000014
2004506123.tif 000015